(57)【要約】　　　（修正有）【課題】非倒壊家屋または、半倒壊、一部倒壊家屋についての非常時の対処は電力会社と被災住民との相互の協力が必要であり、大停電後の再供電を行うとき、不在住民、近隣住民の側から電力会社に対し事前に家人不在や安全未確認の告知があった場合、屋外から電力供給再開停止措置をとる必要がある。【解決手段】電力量計に停電時に自動遮断し、復電時に自動投入し、電力供給時は投入状態を保持する遮断器部を付加する。【選択図】　　図１
2004103542.tif 000002
【特許請求の範囲】
【請求項１】
電力量計の蓋、カバーなど開閉することなく、停電時のみ操作可能な電力の供給再開を遮断するための遮断器。
【請求項２】
請求項１にかかる遮断器を搭載した電力量計
【請求項３】
請求項１にかかる遮断器を操作するための遮断器操作鍵
【発明の詳細な説明】
【００１】
【発明の属する技術分野】
本発明は、巨大地震発生に伴う大停電後、電力会社からの電力供給が再開されるにあたり安全が確認されない住宅に対し屋外から電力供給を停止するための操作を可能とした電力量計及びそれに搭載された遮断器である。
【００２】
【従来の技術】
巨大地震発生に伴う大停電後の電力供給再開について法は、電力会社に供給する義務を定めおり、災害時において大臣は電力供給を命令することも可能である。約款においては「お客様の責めとなる理由により保安上の危険のため緊急を要する場合」供給を停止する等があり、上記の事項は想定されていないのではないかと考える。
電力会社が送電を再開することに対し「お客様の側から事前に危険の告知があった場合」、の対処について、何れは法の下で争われることになると考える。
【００３】
分電盤は分電盤を所有するものの責に帰する装置である。故に、分電盤等において上記理由により機械的に切断を行うかまたは、「未必の故意」を理由に電力会社が電力会社の責に帰する場所、装置で切断行為を行うかは全く別問題である。故に、安全の確認は人間が判断することであり、また安全が確認できないときにもそれに伴う何らかの行為（措置）を行わなければならないことである。
また、分電盤は屋内に設置されるべき設備であり、（実際には目立たない場所に設置されている）発見し辛いのが普通で分岐ボックスの扉を開きその中の分電盤で切断するか、または、露出した形で設置された分電盤で切断する。そのいずれにしても電力会社とは関係のないことである。
当該においては当事者（当事者とはお客様から電力供給再開にあたり事前に危険、安全未確認等の告知をうけた者及び、その者が属する法人を以降当事者と記す。）が周囲の状況に鑑み施錠を破壊し屋内に立ち入ること、その許諾を得なければならないこと、立会人の確保など当事者が事前に告知を受けて実施するには困難である。
したがって、分電盤とは別のものと判断できるのである。
【００４】
さらに、機械的に同じ論理、または類似する論理を持つ機械（装置）であったとしてもそのその装置が取着された場所、装置により所有権及び管理責任が異なる場合、別のものと考えるべきである。
例えば、特願平０８−１５９３５１「震災時の通電防止装置及びこの装置を組み込んだ分電盤」には、当事者の行動の軌跡、様式、実施行為を保証するものではない。
例えば、特願平０８−２８２６７７「感震機能つき回路遮断装置及びそれを備えた住宅用分電盤」についても同様である。
また、両者とも停電中は動作せず再度供電された際、動作するものであり、また当事者が屋内に進入しなければならないので法の定めによりそのことに対する許可を得る必要もあり当該の主張と異なるものである。
【００５】
【発明が解決しようとする課題】
非倒壊家屋または、半倒壊、一部倒壊家屋についての非常時の対処は電力会社と被災住民との相互の協力が必要であり、大停電後の再供電を行うとき、不在住民、近隣住民の側から電力会社に対し事前に家人不在や安全未確認の告知があった場合、屋外から電力供給再開停止措置をとる必要があると考える。
したがって、以下の機能を有する装置であることである。
１、屋外において簡易で、短時間に各戸ごとの電力供給の再開を停止できるものである。
２、安全が確認された際の復旧も簡易で、短時間に完了できるものである。
３、一度通電すると解除できないものである。（復旧時はその限りではない）
４、故障（劣化故障がない）しないものである。
５、犯罪に利用されないものである。（ケーブルを切断した方が簡易で効果的である。）
【００６】
【課題を解決するための手段】
電力量計は屋外引込み線と屋内引込み線との分解点にあり屋外に設置されているものである。したがって、該装置に上記の課題を満たす機能を持たせ電力供給再開再時、家人不在、安全未確認による２次災害を防止し人命を含む莫大な損失を抑止することができるものである。
【００７】
【発明の実施の形態】
図１は遮断器の構造を簡易な機械的な構造を用いて例示したものである。
電力量計（図４）の鍵穴（４−５）を中心に正面または側面に搭載し、表示部を設け切断／接続を表示する。搭載場所は電力量計のどの位置に搭載してもよいが操作性を考慮する必要がある。図４は筐体右側下部に搭載したものを例示している。
【００８】
電力線（１−１）（１−２）は電力積算部を中心に一次側または２次側に接続され、通電中は入力された電流で電磁石（１−３）が励磁される。
ラッチ錘部（１−４）が吸着され、回転軸（１−６）を中心に回転しラッチ噛み込み部（凸形部）側（１−７）がラッチ回転部Ａ（１−９）のラッチ噛み込み部（凹形部）（１−８）のスリットに噛み込み、ラッチを構成するものである。
【００９】
停電時においては電力線（１−１）（１−２）からの入力電流がなくなり電磁石の励磁が消失するためラッチ錘部（１−４）が開放され重力により降下し、回転軸（１−６）を中心とした梃子の原理によりラッチ噛み込み部〔凸形部〕（１−７）が持ち上げられラッチが解除される。
図６にあっては、電磁石（１−３）の励磁が消失すると同時に極性がなくなり収縮していたスプリングが伸張し永久磁石を押し上げ極性のない電磁石に吸着することによりラッチが解除される。
なお、通電時においては、同一極性のため反発し、反発力でスプリングを押し下げると同時にラッチ噛み込み部（凹型部）（１−８）に永久磁石と同体にあるラッチ噛み込み部（凸形部）（１−７）が噛み込み、ラッチを構成している。
【０１０】
遮断器操作鍵は図１の１−９及び図２とは雌雄対の関係にあり、通電中は遮断操作鍵（図２）であっても操作できないものである。
また、回転許可鍵（１−１０Ａ）、六角棒スパナ差込防止突起（２−３）、ラッチ回転部（１−９）の形状のすべてが合致しないと操作できないものである。
たとえば、回転許可鍵（１−１０Ａ）をピッキングしても回転許可鍵（１−１０Ａ）のみが空転し、当然のことながら回転許可鍵（１−１０Ａ）の形状が異なる場合はたとえ鍵穴に差し込んだとしても回転させることができないものである。
【０１１】
六角棒スパナ防止突起（凸形部）（５−１）にあっても、ラッチ回転部（１−９）に同一形状の六角棒スパナ差込まれ回転させようとしても突起が邪魔になりラッチ回転部（１−９）を回転させることができないと同時にピッキングしながら六角棒スパナを差し込もうとしてもピッキングキー（フック）が邪魔になりピッキングができないものである。
その前に六角棒スパナ防止突起（凸形部）（５−１）の取り付け位置、形状が合致していなければならないものである。
【０１２】
ラッチ回転部Ａ（１−９），Ｂ（２−４）についてもその形状は雌雄対の関係にあり、図３、図５に記載されているのは六角形であるが、これにこだわるものではない。四角、５角、八角形、丸型など任意の形状を選択することができるものである。
【０１３】
なお、回転許可鍵（１−１０Ａ）、ラッチ回転部Ａ（１−９）にあってはそれぞれギヤーラッチ機構部を装備し、ギヤーに一定以上の力を加えないと回転しないものであり、逆転防止の役割を果たしているものとする。（該機構部については図示せず）
ギヤーラッチ機構とは：ギヤーの歯と歯との間（谷）に矢印型の金属片を差込みスプリングや板バネ等により圧力かけギヤーが不用意に回転しないようにするため、又はギヤーの逆転防止をするための機械構造を言う。
【０１４】
したがって、仮に「回転許可鍵ＡＮＤラッチ回転部の形状ＡＮＤ六角棒スパナ防止突起の取着位置ＡＮＤ六角スパナ防止突起の形状」が合致したと仮定した上で、より強力な回転力を与えて回転させようとしたとしても、通電中はラッチ噛み込み部（凸形部）（１−７）が働いている（噛み込んでいる）ので回転させることができないものである。
【０１５】
【発明の効果】
巨大地震後の状況を勘案すれば電力供給再開による２次災害は如何なることがあっても防止しなければならないものである。阪神大震災直後の状況が何よりの教訓である。
したがって、地域住民の方々と電力会社との協力は不可欠であり、家人不在、安全未確認などの対処が加わった場合においても屋内に立ち入ることなく屋外において直接操作し、効果的に各戸毎に電力供給再開を停止することができれば電力会社の要員稼動等も少なくなり、破壊された施設等の復旧に多大な要員を振り向けることができると同時にその結果として、人命の損失、莫大な損害から免れることができるものである。
【図面の簡単な説明】
【図１】遮断器動作概念図（側面図）
ラッチの動作原理〔１−３，１−４，１−５，１−７，１−８〕及び操作鍵の動作原理〔１−８，１−９，１−１０〕ならびに切断／接続等、再通電の原理を示したものである。
【図２】遮断器操作鍵（側面図）
遮断操作鍵の形状及び機能等の側面外観を示したものである。
【図３】遮断器操作鍵（正面図）
遮断操作鍵の形状及び機能等の正面の外観を示したものである。
【図４】電力量計外観図（正面図）
電力積算計に搭載した場合の外観を示したものである。（電力量計に併設したものについては省略する。）
【図５】遮断器操作鍵差込み穴正面図
遮断器操作鍵差込み穴は遮断器操作鍵と雌雄対の関係にあり正面からの外観を図示したものである。
【図６】ラッチ方式２（磁石反発式・通電中の状態を図示したもの）
停電時の動作をメーク、ブレークの関係を逆にすることで図１とは逆の論理が採用できるものである。または、停電時は解除不可能なラッチを形成することもできる。
【図７】ラッチ動作状態遷移図
ラッチの動作状態表示すため背面からの外観である。
【符号の説明】
図１遮断器動作概念図（側面図）
１−１　電力積算部の１次側または２次側に接続されている電力線
１−２　電力積算部の１次側または２次側に接続されている電力線
１−３　電磁石
１−４　ラッチ錘部
１−５　回転軸接続部
１−６　回転軸
１−７　ラッチ噛み込み部（凸形部）
１−８　ラッチ噛み込み部（凹形部）
１−９　ラッチ回転部Ａ
１−１０Ａ　回転許可鍵（受け部）２図１−１０Ｂと同一形状で記載。
１−１１　伝達肢
１−１３　絶縁パッキング
１−１４　接点Ａ
１−１５　接点回転軸
１−１６　接点Ｂ
１−２０　交流直流変換部
図２遮断器操作鍵（側面図）
２−１　ストラップホルダ
２−２　ハンドル
２−３　六角棒スパナ差込防止突起（凹形部）
２−４　ラッチ回転部Ｂ
１−１０Ｂ　回転許可鍵
図３遮断器操作鍵（正面図）
図４電力量計筐体外観図（正面図）
４−１　電力積算量表示部
４−２　電力積算部外観
４−３　屋外引込み線
４−４　遮断器収納部外観
４−５　遮断器操作鍵（受け口）
４−６　切断／接続表示部
４−７　屋内引込み線
４−８　引き込み用配管
図５遮断器操作鍵正面図（４−５拡大図）
５−１　回転許可鍵差込口
５−２　六角棒スパナ差込防止突起部〔凸形形状部〕
図６ラッチ方式２（磁石反発式）
６−１　永久磁石部
６−２　スプリング
６−３　電力線（交流直流変換部に接続）
１−８　ラッチ噛み込み部（凹型部）（通電中の状態を表示）
図７ラッチ動作状態遷移図
７−１　ラッチ動作図（重ね図により表示。７−１，７−２，７−３）
７−２　停電時、ラッチ噛込み部（凸形部）浮き上がり分離される。
７−３　再送電開始後、ラッチ噛み込み部（凸形部）が下降するもラッチ回転部（１−９）にあたり、ラッチ状態が形成されず。
７−４　再度、遮断器操作鍵が差し込まれ回転操作されるとラッチ噛み込み部（凹型部）のスリットにラッチ噛み込み部（凸形部）が合致するとラッチされる。同時に再操作不可となる。
【図１】
2004103542.tif 000003
【図２】
2004103542.tif 000004
【図３】
2004103542.tif 000005
【図４】
2004103542.tif 000006
【図５】
2004103542.tif 000007
【図６】
2004103542.tif 000008
【図７】
2004103542.tif 000009